(57)【要約】 【課題】  外観デザイン，使用勝手を良好にし、耐久性を高める。【解決手段】  弾力性材１がカバー材３で被覆された厚板形のブロック体に形成されてなる。弾力性材１には身体の肩部付近を支えることのできる面積を有したクッション性の相対的に柔らかい調整用弾力性材２が設けられている。調整用弾力性材２は直方体に形成されてブロック体の長さ方向に対称的に１対配置され上下両側のカバー材３にまで到達されている。【選択図】        図１
2006255172.tif 000002
【特許請求の範囲】
【請求項１】
荷重を受けるとたわむことができるカバーで被覆された厚板形のブロック体に形成されてなるマットレスにおいて、マットレスの本体を弾力性材で構成し、身体の肩部が当たる本体箇所に上下方向に貫通する穴を穿設し、この穴に本体に対し相対的に柔らかいクッション性の調整用弾力性材を嵌め込み、この調整用弾力性材を本体の長さ方向に対称的に１対配置したことを特徴とするマットレス。
【請求項２】
請求項１のマットレスにおいて、本体を複数層に構成し、本体の外層部を比較的薄い低反発ウレタンフォーム、調整用弾力性材の外層部も同じ低反発ウレタンフォームで構成し、かつ、調整用弾力性材の内層部を低反発ウレタンフォームより安価な素材で構成したことを特徴とするマットレス。
【請求項３】
請求項１のマットレスにおいて、調整用弾力性材を本体の穴に嵌め込んだ状態で本体の外層部で被覆し本体に内包したことを特徴とするマットレス。
【請求項４】
荷重を受けるとたわむことができるカバーで被覆された厚板形のブロック体に形成されてなるマットレスにおいて、マットレスの本体を弾力性材で構成し、身体の肩部が当たる本体箇所に上下方向に穴を穿設し、この穴に本体に対し相対的に柔らかいクッション性の調整用弾力性材を嵌め込み、この調整用弾力性材を本体の長さ方向に対称的に１対配置したことを特徴とするマットレス。
【発明の詳細な説明】
【技術分野】
【０００１】
本発明は、睡眠，治療，休憩，リハビリ，運動等のために身体の下に敷かれるマットレスの技術分野に属する。 
【背景技術】
【０００２】
マットレスは、一般的に、本体がカバーで被覆された厚板形のブロック体に形成され、ブロック体の全面に身体を柔軟に支えるクッション性が均等に備えられている。
一般に側臥位で寝なければならない妊婦とか腰痛の患者等がマットレスに身体を横たえるとき、側臥位では片側の肩一点で上体全体を支える形になる。このため、一般には肩幅分の高さに調節した枕を使うことで側臥位時の不快感を防止している。しかし側臥位から仰臥位に転位すれば、高い枕は首を必要以上に曲げることになり喉を締め付けて別の不快感をもたらす。このように枕の使用ではなお睡眠時の不具合を解消することができない。以上の事情は健常者にも同様に及ぶ。まして五十肩等の患者による側臥位は耐えられない苦痛を強いることになるという不具合がある。
そこで肩部への荷重集中を軽減するマットレスの開発が要望されている。
【０００３】
従来、身体の肩に当たるマットレス部分を工夫したものとして、例えば、以下に記載のものが知られている。 
【特許文献１】特開２００１−１６１５０１号公報   特許文献１には、マットレス本体の一部を切除して凹部を設け、クッション性の相対的に柔らかい部分敷き部材を凹部に嵌め込むマットレスが記載されている。
【発明の開示】
【発明が解決しようとする課題】
【０００４】
特許文献１に係るマットレスでは、部分敷き部材が外部から視認されてしまうため、外観デザインが良くないという問題点がある。また、本体、部分敷き部材が単に嵌合されるのみで確実に一体化されていないため、睡眠中に部分敷き部材が動いてしまう問題点がある。これを避けるためマットレスの上に布団を敷いて使用することが考えられるが、そうするとせっかくのクッション性効果を減殺してしまう問題点がある。また、マットレス本体及び凹部の部分敷き部材が反復使用に因り、へたり（収縮変形，捻れ変形等）やすく耐久性が低いという問題点がある。
【０００５】
本発明は、このような問題点を考慮してなされたもので、外観デザイン，使用勝手が良好で耐久性の高いマットレスを提供することを課題とする。 
【課題を解決するための手段】
【０００６】
前述の課題を解決するため、本発明に係るマットレスは、特許請求の範囲の各請求項に記載の手段を採用する。 
【０００７】
即ち、請求項１では、荷重を受けるとたわむことができるカバーで被覆された厚板形のブロック体に形成されてなるマットレスにおいて、マットレスの本体を弾力性材で構成し、身体の肩部が当たる本体箇所に上下方向に貫通する穴を穿設し、この穴に本体に対し相対的に柔らかいクッション性の調整用弾力性材を嵌め込み、この調整用弾力性材を本体の長さ方向に対称的に１対配置したことを特徴とする。
【０００８】
この手段では、調整用弾力性材を含み本体全体がカバーで覆われることで調整用弾力性材が外部から視認されなくなり、調整用弾力性材が本体及びカバーの内部に収容されることで調整用弾力性材の変形，移動が防止され、本体，調整用弾力性材の双方が共通のカバーの内部に収容されることで本体，調整用弾力性材が一体化される。
【０００９】
また請求項２では、請求項１のマットレスにおいて、本体を複数層に構成し、本体の外層部を比較的薄い低反発ウレタンフォーム、調整用弾力性材の外層部も同じ低反発ウレタンフォームで構成し、かつ、調整用弾力性材の内層部を低反発ウレタンフォームより安価な素材で構成したことを特徴とする。
【００１０】
この手段では、調整用弾力性材として汎用されている低反発ウレタンフォームが選択される。 
【００１１】
また請求項３では、請求項１のマットレスにおいて、調整用弾力性材を本体の穴に嵌め込んだ状態で本体の外層部で被覆し本体に内包したことを特徴とする。
【００１２】
この手段では、本体の外層部によって調整用弾力性材を本体内に包みこんで全体を被覆する。 
【００１３】
また請求項４では、荷重を受けるとたわむことができるカバーで被覆された厚板形のブロック体に形成されてなるマットレスにおいて、マットレスの本体を弾力性材で構成し、身体の肩部が当たる本体箇所に上下方向に穴を穿設し、この穴に本体に対し相対的に柔らかいクッション性の調整用弾力性材を嵌め込み、この調整用弾力性材を本体の長さ方向に対称的に１対配置したことを特徴とする。
【００１４】
この手段では、本体に穿設される穴が上下に貫通せず途中で止まっている。調整用弾力性材もこの穴の深さに合わせた厚みに構成される。 
【発明の効果】
【００１５】
本発明に係るマットレスは、本体及び調整用弾力性材の全体をカバーで覆うことで調整用弾力性材が外部から視認されなくなるため、外観デザインが良好になる効果がある。また、カバーを荷重を受けるとたわむことができるもので構成し、このカバーで本体及び調整用弾力性材の全体を被覆することで、ユーザーは調整用弾力性材の移動を防止した状態で、たわむカバーを介して調整用弾力性材上に側臥位に横たわり肩部が本体表面より確実に沈み肩及び首周りの負担を確実に軽減することができる。したがって布団等の上敷きを不要にして本発明の効果を支障なく発揮する。
【００１６】
また、本体，調整用弾力性材の双方が共通のカバーの内部に収容されることで本体，調整用弾力性材が一体化されるため、調整用弾力性材のへたりが低減され耐久性が高くなる効果がある。
【００１７】
また、調整用弾力性材が本体の頭側と足側に構成されるので、本体を天地１８０度回転させることでユーザーの臀部の荷重を本体の一箇所に集中させず、本体のへたりを防止して、マットレス寿命を延ばす効果が得られる。さらに、請求項１の調整用弾力性材は表裏に貫通形成されているから本体を裏返すことで、耐久性を倍加とまで言わないまでも回転、反転がない従来のものに比しかなり長期の使用を可能にする効果がある。
【００１８】
さらに、請求項２として、本体の外層部と調整用弾力性材の外層部が同一の素材で構成されるため、一体性が一層緊密になる効果を得られる。またカバーを外した状態でも外観を損なうことがない。また弾力性素材として汎用されている低反発ウレタンフォームが選択されるため、製造コストが安価となる効果がある。
【００１９】
さらに、請求項３として、調整用弾力性材が本体の穴に嵌め込まれた上から本体の外層部で被覆されるため、調整用弾力性材は本体内に包み込まれてマットレスとして完全な一体感を得る。
【００２０】
さらに請求項４として、マットレスの寿命を多少犠牲にするが製造を容易にする効果が得られる。 
【発明を実施するための最良の形態】
【００２１】
以下、本発明に係るマットレスを実施するための最良の形態を図面に基づいて説明する。 
【００２２】
図１〜図４は、本発明に係るマットレスを実施するための最良の形態の第１例を示すものである。 
【００２３】
この形態では、ベッドの敷寝具として使用するに好適なものを示してある。 
【００２４】
この形態は、図１，図２に示すように、本体１，調整用弾力性材２，カバー３で厚板形のブロック体に構成されている。 
【００２５】
マットレスの本体１は、外層部１１，中層部１２，内層部１３の５層の積層構造を備えている。外層部１１は、相対的に薄い低反発ウレタンフォームでブロック体の上下面の大部分と側面の全部とを覆い、ブロック体に保形するとともに、カバー３を介した間接的な接触感覚を良好にし相対的に柔らかいクッション性を発揮する。中層部１２は、相対的に厚いウレタンチップ（粉砕したウレタンフォームを圧縮して板状にしたもの）でブロック体の上下面側の外層部１１の内側に積層され、身体の荷重に耐えて耐久性を保障する相対的に硬いクッション性を発揮するとともに、後述する内層部１３のコイルスプリングのきしみ音を消音する機能を有する。内層部１３は、コイルスプリングをメッシュ地の不織布の袋に個装して連結し、コイルスプリングの軸を上下方向にさせて上下両側の中層部１２間でブロック体の中核をなし、ブロック体全体の横揺れを阻止する。硬いクッション性を発揮する。
【００２６】
調整用弾力性材２は３層からなり、外層部２１は本体１の外層部１１と同一素材の低反発ウレタンフォームで、内層部２２をサンドイッチした状態になる。内層部２２は低反発ウレタンフォームより安価な素材の弾力性材でなる。調整用弾力性材２の外層部２１は本体１の外層部１１と一体となってカバー３を介し間接的な接触感覚を良好にする。調整用弾力性材２は本体1に対し相対的に柔らかいクッション性を発揮する。
【００２７】
この調整用弾力性材２は、直方体に形成され、本体を上下方向に貫通する穴１４中に自らの弾力性を利用して嵌め込まれ、本体１に対し相対的に柔らかいクッション性を発揮するように設定されている。そして、図３に示すように、身体の肩部Ｓよりも少し広い幅ａ，長さｂを有して肩部Ｓ付近を柔らかく落し込ませて支えることのできる面積を有し、本体の長さ方向に対称的に１対配置されている。
【００２８】
カバー３は外カバー３１，内カバー３２の積層構造を備える。カバー３は、荷重を受けるとたわむことができる伸縮性の合成繊維等からなり、ファスナ，ホック等の止具（図示せず）で、本体１，調整用弾力性材２をテンション掛けて包込むとともに、本体１，調整用弾力性材２から取外して洗濯することができるようになっている（図４参照）。
【００２９】
カバー３は又、素材自体に伸縮性のないものであってもかまわない。この場合、一部切り込んだ構造、あるいは一部を切り込み、その上からもう一枚を部分的にオーバーラップする構造に構成することもできる。これらの構造の場合、肩部Ｓが調整用弾力性材２上に押し付けられると切り込み又はオーバーラップ部が拡がり肩部Ｓは無理なく落とし込まれる。
【００３０】
第１例によると、調整用弾力性材２中に身体の肩部Ｓは柔らかく落し込まれて支えられるから、側臥位になったとき肩部Ｓに上体の荷重が集中し苦痛になるのを防止できる。また、本体１，調整用弾力性材２に汎用されている低反発ウレタンフォームを使用するため、製造コストを安価にすることができる。また、本体１の外層部１１と調整用弾力性材２の外層部２１とが同一材質なので、本体１，調整用弾力性材２間でカバー３を介した間接的な接触感覚に相違が生じず、使用の際、違和感を生ずることがない。
【００３１】
さらに、第１例によると、本体１及び調整用弾力性材２全体がカバー３で覆われるため、本体1と調整用弾力性材２との境目があっても表面上視認されなくなる。この結果、外観デザインが良好になる。
【００３２】
また、調整用弾力性材２が本体１に緊密に嵌合、収容され、荷重を受けるとたわむことができるカバー３が本体１，調整用弾力性材２の全体をテンション掛けて包み込むため、使用中の調整用弾力性材２の変形，移動が防止される。この結果、布団等を上敷きする必要がなく、本発明の効果を支障なく発揮することができる。
【００３３】
また、本体１，調整用弾力性材２の双方が共通のカバー３内にテンションを掛けて包み込まれて収容されるため、本体１，調整用弾力性材２が一体化される。この結果、調整用弾力性材２のへたりが低減され耐久性が高くなる。
【００３４】
また、本体を上下方向に貫通する穴が穿設され、この穴に調整用弾力性材２が嵌め込まれるが、この構成が本体１の長さ方向に対称的に一対配置されるから、本体１の天地を回転させての使用、及び本体１を裏返しての使用とが可能になる。この結果、身体の臀部が当たる本体１箇所に復元不能なへたりが生ずる前に、あるいはへたりが生じても、本体１を天地１８０度回転させ，あるいは裏返すことでマットレスとしての寿命を他製品に比し延ばすことができる。また、調整用弾力性材２に復元不能なへたりが生じた場合には、調整用弾力性材２のみを交換することもできる。
【００３５】
図５は、本発明に係るマットレスの形態の第２例を示すものである。 
【００３６】
第２例は、調整用弾力性材２を第１例のような重層体にせず単一材に構成し、かつ、調整用弾力性材２全体を本体１の穴１４に埋め込んだ上から外層部１１で被覆したものである。
【００３７】
第２例によると、調整用弾力性材２は本体１の外層部１１に被覆されて本体１に内包されるので一体感が完全になり、また構造的にも連結が強化されるため、調整用弾力性材２のへたりがより低減され耐久性がより高くなる。
【００３８】
図６は本発明に係るマットレスの形態の第３例を示す。
【００３９】
第３例は、調整用弾力性材２を第１例のような重層体にせず単一材に構成し、かつ、第３例のように調整用弾力性材２全体を外層部１１で被覆せずに本体１の外層部１１の面に合わせた高さに嵌め込みぱなしにしたものである。調整用弾力性材２の材質を本体1の外層部１１の材質と同一のものにしてもよいし、異質のものにすることもできる。
【００４０】
第３例によれば、調整用弾力性材２を単一材で構成し、かつ、外層部１１で被覆しないで本体１に嵌め込み取り外し可能にしてあるから製造コストを安価にし、また調整用弾力性材２が損傷したときの交換を容易にする効果がある。
【００４１】
図７は本発明に係るマットレスの形態の第４例を示す。
【００４２】
第４例では、本体１の穴１４を本体１の表側片面だけに穿設して、上下方向に貫通させない構成にしている。穴１４の深さに合わせた厚みの調整用弾力性材２が嵌め込まれる。
また、本体１の層構造を表裏対称でなく例えば図７に示したごとく、マットレスとして使い勝手がいいように、また製造上の不都合がないように、自由に構成する。
【００４３】
第４例によれば、マットレスの寿命は裏表両面使える第１、第２例に比し短命になる欠点があるが、本体１の各層の構成を第１例、第２例のものに比し規制なく自由に組むことができ、それだけ容易に、かつ、製造コストも低めに、製造することができる長所を望める。
【００４４】
以上、図示した各例の外に、ベッドの敷寝具以外の他の用途に適用するように本体１，調整用弾力性材２の厚さ，積層構造等を適宜変更することができる。 
【００４５】
さらに、調整用弾力性材２の積層構造をより多層化することも可能である。 
【実施例】
【００４６】
本発明に係るマットレスを実施するための最良の形態の調整用弾力性材２については、幅ａが５００ｍｍ，長さが１５０ｍｍ，厚さが２００ｍｍに設定される。また、調整用弾力性材２の外層部２１が１５ｍｍ（１５ｍｍ×２），調整用弾力性材２の内層部２２が７０ｍｍに設定される。ちなみに、ブロック体は、幅が１０３０ｍｍ，長さが１９９０ｍｍに設定される。
【図面の簡単な説明】
【００４７】
【図１】本発明に係るマットレスを実施するための最良の形態の第１例の一部を切除した斜視図である。
【図２】図１の拡大縦断面図である。
【図３】図１の平面図である。
【図４】図１の分解状態の斜視図である。
【図５】本発明に係るマットレスを実施するための最良の形態の第２例の断面図である。
【図６】本発明に係るマットレスを実施するための最良の形態の第３例の断面図である。
【図７】本発明に係るマットレスを実施するための最良の形態の第４例の断面図である。
【符号の説明】
【００４８】
１            本体 
１１          外層部 
１２          中層部
１３          内層部
１４          穴
２           調整用弾力性材 
２１          外層部
２２          内層部
３            カバー 
Ｓ            肩部     
【図１】
2006255172.tif 000003
【図２】
2006255172.tif 000004
【図３】
2006255172.tif 000005
【図４】
2006255172.tif 000006
【図５】
2006255172.tif 000007
【図６】
2006255172.tif 000008
【図７】
2006255172.tif 000009